【手続補正書】
【提出日】平成16年12月20日(2004.12.20)
【手続補正１】
【補正対象書類名】明細書
【補正対象項目名】特許請求の範囲
【補正方法】変更
【補正の内容】
【特許請求の範囲】
【請求項１】
ビニルエーテルを一般式（Ｉ）
【化１】
2003201315.tif 000001
(式中、R１は、水素原子、置換もしくは非置換の低級アルキル、置換もしくは非置換のシクロアルキル、置換もしくは非置換のアリールまたは置換もしくは非置換のアラルキルを表し、R２、R３およびR４は、同一または異なって、置換もしくは非置換の低級アルキル、置換もしくは非置換のシクロアルキル、置換もしくは非置換のアリールまたは置換もしくは非置換のアラルキルを表す)で表される化合物およびルイス酸の存在下、重合させることを特徴とする両末端にアセタールを有するビニルポリマーの製造法。
【請求項２】
R１が水素原子である請求項１記載の製造法。
【請求項３】
R２、R３およびR４が、同一または異なって、低級アルキルである請求項１記載の製造法。
【請求項４】
ビニルエーテルが、一般式（ＩＩ）
【化２】
2003201315.tif 000002
(式中、R5は、置換もしくは非置換の低級アルキル、置換もしくは非置換のシクロアルキル、置換もしくは非置換のアリールまたは置換もしくは非置換のアラルキルを表し、R6、R7およびR8は、同一または異なって、水素原子、置換もしくは非置換の低級アルキル、置換もしくは非置換のシクロアルキル、置換もしくは非置換のアリールまたは置換もしくは非置換のアラルキルを表す)で表されるビニルエーテルである請求項１〜３のいずれかに記載の製造法。
【請求項５】
R5が低級アルキルであり、R6、R7およびR8が水素原子である請求項４記載の製造法。
【請求項６】
重合反応の温度が０〜１００℃である請求項１〜５のいずれかに記載の製造法。
【請求項７】
ルイス酸が金属ハロゲン化物である請求項１〜６のいずれかに記載の製造法。
【請求項８】
ルイス酸がBF3（三フッ化硼素）またはそのジエチルエーテル錯体、酢酸錯体、水錯体もしくはメタノール錯体である請求項１〜６のいずれかに記載の製造法。
【請求項９】
ビニルエーテルに対して０．０００１〜２．０モルのルイス酸を使用する請求項１〜８のいずれかに記載の製造法。
【手続補正２】
【補正対象書類名】明細書
【補正対象項目名】０００６
【補正方法】変更
【補正の内容】
【０００６】
【課題を解決するための手段】
本発明は、以下の［１］〜［９］を提供する。
【手続補正３】
【補正対象書類名】明細書
【補正対象項目名】０００８
【補正方法】変更
【補正の内容】
【０００８】
(式中、R１は、水素原子、置換もしくは非置換の低級アルキル、置換もしくは非置換のシクロアルキル、置換もしくは非置換のアリールまたは置換もしくは非置換のアラルキルを表し、R２、R３およびR４は、同一または異なって、置換もしくは非置換の低級アルキル、置換もしくは非置換のシクロアルキル、置換もしくは非置換のアリールまたは置換もしくは非置換のアラルキルを表す)で表される化合物およびルイス酸の存在下、重合させることを特徴とする両末端にアセタールを有するビニルポリマーの製造法。
［２］  R１が水素原子である［１］記載の製造法。
［３］  R２、R３およびR４が、同一または異なって、低級アルキルである［１］記載の製造法。
［４］ビニルエーテルが、一般式（ＩＩ）
【手続補正４】
【補正対象書類名】明細書
【補正対象項目名】００１０
【補正方法】変更
【補正の内容】
【００１０】
(式中、R5は、置換もしくは非置換の低級アルキル、置換もしくは非置換のシクロアルキル、置換もしくは非置換のアリールまたは置換もしくは非置換のアラルキルを表し、R6、R7およびR8は、同一または異なって、水素原子、置換もしくは非置換の低級アルキル、置換もしくは非置換のシクロアルキル、置換もしくは非置換のアリールまたは置換もしくは非置換のアラルキルを表す)で表されるビニルエーテルである［１］〜［３］のいずれかに記載の製造法。
［５］  R5が低級アルキルであり、R6、R7およびR8が水素原子である［４］記載の製造法。
［６］  重合反応の温度が０〜１００℃である［１］〜［５］のいずれかに記載の製造法。    
［７］  ルイス酸が金属ハロゲン化物である［１］〜［６］のいずれかに記載の製造法。
［８］  ルイス酸がBF3（三フッ化硼素）またはそのジエチルエーテル錯体、酢酸錯体、水錯体もしくはメタノール錯体である［１］〜［６］のいずれかに記載の製造法。
［９］  ビニルエーテルに対して０．０００１〜２．０モルのルイス酸を使用する［１］〜［８］のいずれかに記載の製造法。
【手続補正５】
【補正対象書類名】明細書
【補正対象項目名】００１３
【補正方法】変更
【補正の内容】
【００１３】
置換低級アルキルおよび置換シクロアルキルの置換基としては、例えば、低級アルコキシ、ハロゲン原子等があげられる。その置換数は、特に限定されないが、１〜３であるのが好ましい。
【手続補正６】
【補正対象書類名】明細書
【補正対象項目名】００１４
【補正方法】変更
【補正の内容】
【００１４】
置換アリールおよび置換アラルキルの置換基としては、低級アルキル、低級アルコキシ、ハロゲン原子等があげられる。その置換数は、特に限定されないが、１〜３であるのが好ましい。
上記置換基の定義において、低級アルキルおよび低級アルコキシのアルキル部分としては、前記低級アルキルで例示したものと同様のものがあげられ、ハロゲン原子としては、フッ素、塩素、臭素、ヨウ素の各原子があげられる。
本発明においては、ビニルエーテルとしては、一般式（ＩＩ）
【手続補正７】
【補正対象書類名】明細書
【補正対象項目名】００１８
【補正方法】変更
【補正の内容】
【００１８】
一般式（Ｉ）で表される化合物としては、R1が水素原子、置換もしくは非置換の低級アルキルまたは置換もしくは非置換のアリールであり、R2、R3およびR4が置換もしくは非置換の低級アルキルである化合物が好ましく、R1が水素原子であり、R2、R3およびR4がメチルまたはエチルである化合物がより好ましい。 
一般式（Ｉ）で表される化合物の使用量は、特には限定されないが、ビニルエーテル１モルに対して０．０００１〜２．０モルであるのが好ましく、さらには０．００１〜０．５モルであるのが好ましく、０．０１〜０．５モルであるのがより好ましい。
【手続補正８】
【補正対象書類名】明細書
【補正対象項目名】００２２
【補正方法】変更
【補正の内容】
【００２２】
重合反応の温度は、特には限定されないが、−８０〜１００℃であるのが好ましく、５〜１００℃であるのがより好ましい。本発明の製造法は、室温でも実施が可能であり、反応器の冷却装置等の特殊な装置は必ずしも必要ではない。
重合反応の時間は、特に限定されないが、０．５〜２４時間であるのが好ましい。
【手続補正９】
【補正対象書類名】明細書
【補正対象項目名】００２５
【補正方法】変更
【補正の内容】
【００２５】
本発明の製造法により得られる両末端にアセタールを有するビニルポリマーは、公知の方法により、両末端に各種官能基（ホルミル基、水酸基、カルボキシル基、アミノ基等）を有するビニルポリマーとすることができる。例えば、本発明の製造法により得られる両末端にアセタールを有するビニルポリマーを
（１） テトラヘドロン（Tetrahedron）, 43, 825 (1987)に記載の方法等に準じて酢酸で加水分解することにより、両末端にホルミル基を有するビニルポリマーを得ることができる。
（２）（１）で得た両末端にホルミル基を有するビニルポリマーを、ラネーニッケル等の存在下、水素化反応に付すことにより、両末端に水酸基を有するビニルポリマーを得ることができる。
（３）（１）で得た両末端にホルミル基を有するビニルポリマーを、特開２００１−１１００９号公報等に記載の方法等に準じて、空気酸化することにより、両末端にカルボキシル基を有するビニルポリマーを得ることができる。
（４）（１）で得た両末端にホルミル基を有するビニルポリマーを、特開平１０−１３０２１０号公報等に記載の方法に準じて、アミノ化することにより、両末端にアミノ基を有するビニルポリマーを得ることができる。